(57)【要約】 【課題】上面に突出部分のない二槽式洗濯機を提供する。【解決手段】  洗濯動作および脱水動作を制御する制御ユニットＵを、筐体１の前面部１ａと洗濯槽３と脱水槽４との間に形成される空隙Ｓに配置するとともに、前面部１ａのユニット取付部Ｔに取付ける。また操作部１０を、筐体１の前面部１ａに設けた凹部１ｂ内に配置する。筐体１の上面部２から突出部分を無くせるから、従来製品と比べて、合成樹脂等の製造材料の使用量を削減でき、製造コストの低減化を図れる。筐体１の上面部２を平坦面にできるため、全体高さを低くでき、梱包材や緩衝材の使用量を節減して、梱包コストを大幅に低減化できる。筐体１の上面を平坦で簡素なデザインにできるから、高品位な外観を備える製品を提供できる。【選択図】  図１
2014124512.tif 000002
【特許請求の範囲】
【請求項１】
洗濯動作を行う洗濯槽と、
脱水動作を行う脱水槽と、
前記洗濯槽および前記脱水槽が互いに離間して並列に配置された状態で収納される筐体であって、前記洗濯槽および前記脱水槽を、空隙を形成するように一側方から覆う前面部を有する筐体と、
前記洗濯槽の洗濯動作および前記脱水槽の脱水動作の設定を行う操作部を備え、該操作部の設定に基づいて前記洗濯動作および前記脱水動作を制御する制御ユニットとを含み、
前記筐体は、前記前面部における前記空隙に臨む部分に、前記制御ユニットを取付けるためのユニット取付部を有し、前記制御ユニットは、前記空隙に配置されて、前記ユニット取付部に取付けられ、前記操作部は、前記筐体の前面部に設けられていることを特徴とする二槽式洗濯機。
【請求項２】
前記操作部は、
前記筐体の外側に面し、斜め上方を向くように傾斜する操作面と、
該操作面に設けられ、前記洗濯動作および前記脱水動作を制御するための複数の操作ノブとをさらに有することを特徴とする請求項１に記載の二槽式洗濯機。
【請求項３】
前記ユニット取付部は、前記筐体の前面部に設けられた凹部を含み、
前記操作部が、前記凹部内に配置されていることを特徴とする請求項１または２に記載の二槽式洗濯機。
【請求項４】
前記複数の操作ノブが、前記筐体の上下方向に沿って配列されていることを特徴とする請求項２または３に記載の二槽式洗濯機。
【請求項５】
前記複数の操作ノブが、前記筐体の左右方向に沿って配列されていることを特徴とする請求項２または３に記載の二槽式洗濯機。
【発明の詳細な説明】
【技術分野】
【０００１】
本発明は、洗濯槽と脱水槽とを備える二槽式洗濯機に関する。
【背景技術】
【０００２】
１つの筐体に洗濯槽と脱水槽とが隣り合わせで収納される二槽式洗濯機が、特許文献１および２に記載されている。図９は、特許文献１に記載される二槽式洗濯機１００を示す斜視図、図１０（Ａ）は、特許文献２に記載される二槽式洗濯機１２０の上部を示す斜視図、図１０（Ｂ）は、同二槽式洗濯機１２０の上部の側面断面図である。
【０００３】
図９に示す特許文献１の二槽式洗濯機１００は、筐体１０１内に、洗濯槽１０２と脱水槽１０３とが並べて収納され、筐体１０１の上面後方部には、操作パネル１０９を有する制御ユニット１１０が配設されている。洗濯槽１０２は、モータで回転駆動される撹拌翼１０４を底部に有し、脱水槽１０３は、高速回転駆動される脱水かご１０５を有する。
【０００４】
制御ユニット１１０は、洗濯槽１０２の洗濯動作および脱水槽１０３の脱水動作を制御するためのものであり、洗濯動作のＯＮ／ＯＦＦの切り替えと洗濯時間の設定とを行う洗濯タイマー、脱水動作のＯＮ／ＯＦＦの切り替えと脱水時間の設定とを行う脱水タイマー、および、排水切り替えコックを有している。そして、これらを操作するための操作ノブ１０６，１０７，１０８が、斜め上方を向く傾斜姿勢で設けられた操作パネル１０９の表面に配設されている。
【０００５】
図１０に示す特許文献２の二槽式洗濯機１２０は、特許文献１と同様に、筐体１０１の上面後方部に洗濯タイマー、脱水タイマーおよび排水切り替えコックを有する制御ユニット１１０が配設され、これらを操作するための操作ノブ１０６が、傾斜姿勢で設けられた操作パネル１０９の表面に配設されている。さらに特許文献２では、操作パネル１０９の上方を、洗濯槽の開口部を覆う洗濯槽蓋１２１、および、脱水槽の開口部を覆う脱水槽蓋１２２で覆う構成とされている。
【先行技術文献】
【特許文献】
【０００６】
【特許文献１】特開平０５−２８５２９６号公報
【特許文献２】特開平０９−０８４９９３号公報
【発明の概要】
【発明が解決しようとする課題】
【０００７】
二槽式洗濯機にあっては、洗濯動作および脱水動作を制御するための制御ユニットが、洗濯動作のＯＮ／ＯＦＦの切り替えと洗濯時間の設定とを行う洗濯タイマーと、脱水動作のＯＮ／ＯＦＦの切り替えと脱水時間の設定とを行う脱水タイマーとを用いて構成され、これらタイマーの設定を、回転操作式の操作ノブで行うものが広く流通している。特許文献１に記載の二槽式洗濯機１００は、制御ユニット１１０の操作パネル１０９が、筐体１０１の上面後方部に突出して設けられている。このため、二槽式洗濯機１００の出荷時に梱包するにあたり、制御ユニット１１０の突出部分を覆う緩衝材が必要になり、また、緩衝材を装着することによって全体高さが増加するので、この増加分に相当する梱包材が余分に必要となり、梱包コストや運搬コストを増大させるという課題がある。
【０００８】
また、制御ユニット１１０を、筐体１０１の上面に突出させて設けるため、それだけ合成樹脂などの製造材料の使用量が増えるので、製造コストを増大させる問題がある。
【０００９】
特許文献２に記載の二槽式洗濯機１２０は、制御ユニット１１０の操作パネル１０９を、洗濯槽蓋１２１および脱水槽蓋１２２で覆うため、蓋を閉じた状態では上面に突出部が形成されない。しかしながら、制御ユニット１１０が、筐体１０１の上面から突出して設けられているのは特許文献１と同じであるから、全体高さが高くなっている。そのため、出荷時に梱包するにあたり、この高さの増加分に相当する梱包材が余分に必要となり、梱包コストや運搬コストを増加させるという課題がある。
【００１０】
さらに特許文献２では、制御ユニット１１０を覆う洗濯槽蓋１２１および脱水槽蓋１２２に要する材料コストが加わるから、一層のコスト高を招く課題がある。
【００１１】
本発明の目的は、筐体の上面部に突出部分のない二槽式洗濯機を提供することにある。
【課題を解決するための手段】
【００１２】
本発明は、
洗濯動作を行う洗濯槽と、
脱水動作を行う脱水槽と、
前記洗濯槽および前記脱水槽が互いに離間して並列に配置された状態で収納される筐体であって、前記洗濯槽および前記脱水槽を、空隙を形成するように一側方から覆う前面部を有する筐体と、
前記洗濯槽の洗濯動作および前記脱水槽の脱水動作の設定を行う操作部を備え、該操作部の設定に基づいて前記洗濯動作および前記脱水動作を制御する制御ユニットとを含み、
前記筐体は、前記前面部における前記空隙に臨む部分に、前記制御ユニットを取付けるためのユニット取付部を有し、前記制御ユニットは、前記空隙に配置されて、前記ユニット取付部に取付けられ、前記操作部は、前記筐体の前面部に設けられていることを特徴とする二槽式洗濯機である。
【００１３】
また本発明は、前記操作部が、前記筐体の外側に面し、斜め上方を向くように傾斜する操作面と、該操作面に設けられ、前記洗濯動作および前記脱水動作を制御するための複数の操作ノブとをさらに有することを特徴とする。
【００１４】
また本発明は、前記ユニット取付部が、前記筐体の前面部に設けられた凹部を含み、前記操作部が、前記凹部内に配置されていることを特徴とする。
【００１５】
また本発明は、前記複数の操作ノブが、前記筐体の上下方向に沿って配列されていることを特徴とする。
【００１６】
また本発明は、前記複数の操作ノブが、前記筐体の左右方向に沿って配列されていることを特徴とする。
【発明の効果】
【００１７】
本発明によれば、制御ユニットを筐体の前面部のユニット取付部に取付け、操作部を筐体の前面部に設ける構成とするので、筐体の上面部から突出部を無くすことができる。しかも制御ユニットを、洗濯槽と脱水槽と筐体の前面部とで形成される空隙に配置するから、筐体の前後方向の奥行き寸法を増大させることがない。したがって、本発明に係る二槽式洗濯機は、制御ユニットを筐体の上面部に設ける従来製品と比べて、合成樹脂等の製造材料の使用量を削減でき、製造コストの低減化を図れる。
【００１８】
また、筐体の上面部に操作部を配置する必要がなくなる分、従来の二槽式洗濯機と比較すると、筐体の背面側を構成する部分の必要強度を小さくすることが可能である。したがって、同じ洗濯容量、脱水容量の洗濯機を設計する場合、筐体の製造材料の使用量を少なくできるので、材料コストの節減を図れる。
【００１９】
筐体上面部を平坦面に形成できるため、従来の洗濯機に比べ、同じ洗濯容量であれば、全体高さを低くすることができ、よって、梱包に使用する梱包材の使用量を削減でき、従来の突出部分を覆う緩衝材も不要となることと相まって、梱包コストを大幅に低減化することができる。
【００２０】
筐体の上面部から突出部を無くしたことにより、特許文献２に示すような蓋を設けなくても、筐体上面を平坦で簡素なデザインにできるから、高品位な外観を備える製品を低コストで提供できる。
【００２１】
このように本発明によれば、制御ユニットを筐体の前面側に配設することによって、洗濯槽および脱水槽の容量低下を伴わずに、全体高さを縮小できるから、梱包コスト、運搬コスト、材料コスト、加工コストなどの削減を図れると同時に、二槽式洗濯機の外観デザインの品位を向上させることが可能である。
【００２２】
また本発明によれば、前記操作部が、筐体の外側に面し、斜め上方を向くように傾斜する操作面を有し、この操作面に洗濯動作および脱水動作を制御するための複数の操作ノブを設ける構成とするので、筐体の前面側に位置する操作ノブの操作性を良好にできる。
【００２３】
また本発明によれば、操作部を、ユニット取付部の凹部内に配置することによって、操作面が筐体の前面部の表面よりも前方へ突出せず、よって、筐体の前面部から突出部分をなくすことができる。よって、梱包がきわめて容易になるとともに、外観が簡素になり、美観性が向上する。
【００２４】
また本発明によれば、複数の操作ノブを筐体の上下方向に沿って配列するので、制御ユニットの左右方向の幅寸法を狭くすることができるため、制御ユニットを、洗濯槽と脱水槽との間の狭い空隙に配置するのが容易になる。
【００２５】
また本発明によれば、複数の操作ノブを筐体の左右方向に沿って配列するので、すべての操作ノブを目視し易く、かつ、操作し易くすることができる。
【図面の簡単な説明】
【００２６】
【図１】本発明の第１の実施形態に係るものであって、図１（Ａ）は二槽式洗濯機Ｗの斜視図、図１（Ｂ）は操作部１０を拡大して示す斜視図である。
【図２】本発明の第１の実施形態に係るものであって、制御ユニットＵの配設位置を説明する洗濯槽３および脱水槽４の斜視図である。
【図３】本発明の第１の実施形態に係るものであって、図３（Ａ）は凹部１ｂ内で操作面１１を傾斜させた制御ユニットＵの配設状況を示す側面断面図、図３（Ｂ）は、凹部１ｂ内で操作面１１を起立状態とした制御ユニットＵの配設状況を示す側面断面図、図３（Ｃ）は、筐体１の前面部１ａを操作面１１とした制御ユニットＵの配設状況を示す側面断面図である。
【図４】本発明の第１の実施形態に係るものであって、図４（Ａ）は制御ユニットＵの配設位置を示す二槽式洗濯機Ｗの一部を切り欠いて示す側面図、図４（Ｂ）は、比較のために示す従来の二槽式洗濯機１３０の一部を切り欠いて示す側面図である。
【図５】本発明の第２の実施形態に係るものであって、図５（Ａ）は二槽式洗濯機Ｗの斜視図、図５（Ｂ）は操作部１０を拡大して示す斜視図である。
【図６】本発明の第３の実施形態に係るものであって、図６（Ａ）は操作ノブ１２が上下方向に配列された制御ユニットＵの配設状況を示す側面断面図、図６（Ｂ）は操作ノブ１２が左右方向に配列された制御ユニットＵの配設状況を示す側面断面図である。
【図７】本発明の第４の実施形態に係るものであって、図７（Ａ）は可動式の制御ユニットＵの操作部１０を示す斜視図、図７（Ｂ）は可動式の制御ユニットＵの配設状況を示す平面断面図である。
【図８】本発明の第４の実施形態の別態様に係るものであって、図８（Ａ）は可動式の制御ユニットＵの操作部１０を示す斜視図、図８（Ｂ）は可動式の制御ユニットＵの配設状況を示す側面断面図である。
【図９】特許文献１に記載される従来の二槽式洗濯機１００の斜視図である。
【図１０】特許文献２に記載される従来の二槽式洗濯機１２０に関するものであって、図１０（Ａ）は二槽式洗濯機１２０の上部を示す斜視図、図１０（Ｂ）は二槽式洗濯機１２０の上部の側面断面図である。
【発明を実施するための形態】
【００２７】
（第１の実施形態）
図１〜図４は、本発明の第１の実施形態に係るものであって、図１（Ａ）は二槽式洗濯機Ｗの斜視図、図１（Ｂ）は操作部１０を拡大して示す斜視図、図２は、制御ユニットＵの配設位置を説明する洗濯槽３および脱水槽４の斜視図、図３（Ａ）は凹部１ｂ内で操作面１１を傾斜させた制御ユニットＵの配設状況を示す側面断面図、図３（Ｂ）は凹部１１ｂ内で操作面１１を起立状態とした制御ユニットＵの配設状況を示す側面断面図、図３（Ｃ）は、筐体１の前面部１ａを操作面１１とした制御ユニットＵの配設状況を示す側面断面図、図４（Ａ）は制御ユニットＵの配設位置を示す二槽式洗濯機Ｗの一部を切り欠いて示す側面図、図４（Ｂ）は比較のために示す従来の二槽式洗濯機１３０の一部を切り欠いて示す側面図である。
【００２８】
本実施形態の二槽式洗濯機Ｗは、筐体１の内部に、洗濯槽３と脱水槽４とが互いに離間して並列に配置された状態で収納される。框体１の前面部１ａは、洗濯層３および脱水層４を、間に空隙が形成されるように、一側方から覆う。上面部２には、洗濯槽３の入り口を開閉する洗濯槽蓋２ａ、脱水槽４の入り口を開閉する脱水槽蓋２ｂ、排水切り替えコックの操作部２ｃ、給水ホースを接続するためのホース接続部などが設けられている。また上面部２は、突出部のない平坦な形態に形成されている。
【００２９】
洗濯槽３は、底部の攪拌翼とこれを回転駆動するモータとを有し、脱水槽４は、脱水かご５と、これを回転駆動するモータとを有している。本実施形態では、洗濯槽３の洗濯動作および脱水槽４の脱水動作を制御するための制御ユニットＵを、筐体１の前面部１ａと洗濯槽３と脱水槽４との間に形成される空隙Ｓの上方領域に配置するとともに、この制御ユニットＵを、筐体１の前面部１ａに設けたユニット取付部Ｔに取り付けるところを特徴とする。
【００３０】
なお本実施形態では、図２に示すごとく、洗濯槽３と脱水槽４とを、合成樹脂またはステンレス鋼などで一体に成形したものを用いているが、別個に製作した洗濯槽３と脱水槽４とを用いることも可能である。
【００３１】
制御ユニットＵは、操作ノブ１２が設けられる面が、板状部から成るユニット取付部Ｔの裏面側に取付けられ、ユニット取付部Ｔの表面に、操作ノブ１２が、制御ユニットＵと連結されるように配設される。したがって本実施形態では、ユニット取付部Ｔの表面が、筐体１の外側に面し、斜め上方を向くように傾斜する操作面１１となっており、この操作面１１と操作ノブ１２とで操作部１０が構成される。
【００３２】
なお、筐体１の前面部１ａに設けるユニット取付部Ｔは、図３（Ｂ）や（Ｃ）に示すような態様とすることも可能である。図３（Ｂ）に示すユニット取付部Ｔは、筐体１の前面部１ａに形成した凹部１ｂの奥側に設けた、鉛直方向に起立する板状部で構成されるものである。したがって、このユニット取付部Ｔの表面は傾斜しない。また図３（Ｃ）に示す例は、筐体１の前面部１ａの一部を、ユニット取付部Ｔとするものであり、前面部１ａの裏面に制御ユニットＵが装着され、前面部１ａの表面に操作ノブ１２を配置するものである。
【００３３】
図３（Ａ）に示す本実施形態の操作部１０は、操作面１１を、筐体１の外側に面し、かつ、斜め上方を向くように傾斜する傾斜面とするので、操作ノブ１２を使用者が操作し易い姿勢とすることができる。よって、図３（Ｂ）に示す操作部１０と比べて、操作性の良好な二槽式洗濯機Ｗを提供できる。
【００３４】
また図３（Ａ），（Ｂ）に示す実施形態では、操作部１０の操作面１１が、筐体１の前面部１ａの表面よりも前方へ突出しない位置に配置されているので、前面部１ａに突出部が無く、簡素で高品位の外観を与えることができる。よって、図３（Ｃ）に示す操作部１０と比べて、梱包が容易であり、美観性にも優れる二槽式洗濯機Ｗを提供することができる。
【００３５】
その他、制御ユニットＵを取付ける手段としては、筐体１の前面部１ａに切欠部を形成し、この切欠部に操作ノブ１２を連結した制御ユニットＵを挿入し、ブラケットなどにより固定する構造としてもよい。
【００３６】
ところで本実施形態の制御ユニットＵは、操作部１０に、複数の操作ノブ１２を、筐体１の上下方向に並ぶように配列して、ケーシングを、左右方向の幅寸法が狭いものとしている。図２に示すように、洗濯槽３と脱水槽４との間の空隙Ｓは、上下方向に長く、左右方向に狭い空間となっている。したがって、操作ノブ１２を上下方向に配列して、幅の狭い制御ユニットＵとすることにより、二槽式洗濯機Ｗが元来備える空隙Ｓの有効利用を図ることができる。すなわち、制御ユニットＵを筐体１の前面側に設けるために、筐体１を拡張する必要は生じない。
【００３７】
なお本実施形態では、制御ユニットＵは、洗濯槽３および脱水槽４の入り口よりも下方に位置し、洗濯槽３および脱水槽４は上面部２によって覆われるため、制御ユニットＵ自体や、これに連結される操作ノブ１２や電装線などが、洗濯槽３や脱水槽４で生じる水跳ねまたは水飛沫の影響を受けることがない。図９または図１０に示す従来の二槽式洗濯機１００，１２０では、制御ユニット１１０が洗濯槽１０２や脱水槽１０３の上方に配設されているため、洗濯槽１０２や脱水槽１０３からの水跳ねの影響を受け易く、そのため、制御ユニット１１０に対する防水機構や排水機構が必要である。これに対し、本実施形態の制御ユニットＵでは、防水対策および排水対策が不要なので、制御ユニットＵの周囲の構造を簡単にできる。
【００３８】
また本実施形態の二槽式洗濯機Ｗは、筐体１の上面部２を平坦面に構成できるから、特許文献２のように専用の蓋を設けなくても、簡素な外観を呈することができる。よって、従来よりも高品位の製品を低コストで提供することが可能である。
【００３９】
さらに本実施形態によれば、上面部２から制御ユニットを削減することによって、洗濯容量および脱水容量を変更せずに、二槽式洗濯機Ｗの全体高さおよび奥行寸法の縮小を実現している。これを図４を用いて説明する。
【００４０】
図４（Ｂ）に示す従来の二槽式洗濯機１３０は、制御ユニット１１０を、筐体１０１の上面に、操作パネル１０９を傾斜させて配置するため、制御ユニット１１０のケーシングの分だけ、全体の高さ寸法および奥行き寸法が大きくなっている。
【００４１】
これに対し、図４（Ａ）に示す本実施形態のごとく、制御ユニットＵを筐体１の前面側の空隙Ｓに配置することによって、従来の二槽式洗濯機１３０における制御ユニット１１０のケーシングに相当する分だけ、全体高さ寸法および奥行き寸法を縮小できる。具体的には、洗濯容量６ｋｇ程度の一般的な二槽式洗濯機の高さ寸法は、約９００ｍｍ程度であり、そのうち制御ユニット１１０が占める高さ寸法ΔＨは約５０〜１００ｍｍである。また、同じ二槽式洗濯機の奥行き寸法は、約４００ｍｍ程度であり、そのうち制御ユニット１１０が占める奥行き寸法ΔＹは約１００ｍｍ程度である。したがって、図４（Ａ）に示す本実施形態の二槽式洗濯機Ｗは、上面部から制御ユニット１１０を取り去ることによって、高さ寸法を約５０〜１００ｍｍ程度縮小でき、奥行き寸法を約１００ｍｍ程度縮小できるから、制御ユニット１１０のカバーとして使用されている合成樹脂などの製造材料、および、筐体１を構成する合成樹脂などの製造材料を節減でき、全体で製造材料の使用量が約１５％程度少なくなり、これに相当する製造コストの低減化がもたらされる。
【００４２】
（第２の実施形態）
図５は、本発明の第２の実施形態に係るものであって、図５（Ａ）は二槽式洗濯機Ｗの斜視図、図５（Ｂ）は操作部１０を拡大して示す斜視図である。本実施形態に係る二槽式洗濯機Ｗは、操作部１０に配置される操作ノブ１２を、筐体１の左右方向に配列したところを特徴とする。
【００４３】
筐体１の前面部１ａに形成した凹部１ｂ内に、斜め上方を向くように傾斜する傾斜面を有するユニット取付部Ｔが設けられ、ユニット取付部Ｔの表面が、操作ノブ１２が配設される操作面１１となっており、操作面１１と操作ノブ１２とで操作部１０が構成される。
【００４４】
本実施形態では、複数の操作ノブ１２を左右方向に配列して横並びとすることにより、すべての操作ノブ１２の操作性が同等となるから、操作ノブ１２による各種動作の設定操作が容易な操作部１０を提供することができる。
【００４５】
なお、筐体１の前面部１ａに切欠を設けて、これをユニット取付部Ｔとし、この切欠に制御ユニットＵを挿入することで、操作部１０を設ける構造とすることも考えられる。この場合、前面部１ａに切欠を形成すると、切欠の無い場合に比べ、筐体１の強度が切欠部分で若干低下するおそれがある。しかしながら本実施形態では、操作部１０を横長に構成することによって、切欠部分の高さ寸法を小さくできるので、第１の実施形態のように操作部１０を縦長に形成する場合と比べると、筐体１の強度を大きくできる利点がある。
【００４６】
（第３の実施形態）
図６は、本発明の第３の実施形態に係るものであって、図６（Ａ）は操作ノブ１２が上下方向に配列された制御ユニットＵの配設状況を示す側面断面図、図６（Ｂ）は操作ノブ１２が左右方向に配列された制御ユニットＵの配設状況を示す側面断面図である。
【００４７】
本実施形態は、筐体１の前面部１ａに凹部１ｂを設け、この凹部１ｂに制御ユニットＵを収納するものである。制御ユニットＵは、前面部に、斜め上方を向くように傾斜する操作面１１と、この操作面１１に配設される操作ノブ１２とを有し、これら操作面１１と操作ノブ１２とによって操作部１０が構成される。
【００４８】
制御ユニットＵが収納される凹部１ｂは、制御ユニットＵが嵌め込まれる部分１ｃを有し、この部分１ｃによってユニット取付部Ｔが構成される。また、ユニット取付部Ｔから前面部１ａまでの天井部１ｄが、前面部１ａ側へ向かって上り勾配の傾斜面に形成されている。これにより、操作部１０を臨む前面部１ａの開口部分の面積を大きくできるので、操作ノブ１２の操作が容易になる効果が得られる。
【００４９】
また本実施形態では、操作部１０を臨む前面部１ａの開口部分に回動する蓋体６を設け、この蓋体６によって、不使用時は、操作部１０を隠せるように構成した。なお図６（Ａ）に示すように、操作ノブ１２が上下方向に配列され、したがって操作部１０が縦長に形成される場合は、蓋体６の回動軸を鉛直方向に設け、蓋体６が水平方向に回動するように構成するとよい。また図６（Ｂ）に示すように、操作ノブ１２が左右方向に配列され、したがって操作部１０が横長に形成される場合は、蓋体６の回動軸を水平方向に設け、蓋体６が鉛直方向に回動するように構成するとよい。かかる構成によって、二槽式洗濯機Ｗの不使用時には、蓋体６で操作部１０を隠せるから、美観性を向上させることができる。また蓋体６で操作部１０を隠した状態とすることによって、前面部１ａの凹部を無くせるので、梱包時に凹部に充填する緩衝材の使用量を削減することが可能となる。
【００５０】
（第４の実施形態）
図７は、本発明の第４の実施形態に係るものであって、図７（Ａ）は可動式の制御ユニットＵの操作部１０を示す斜視図、図７（Ｂ）は可動式の制御ユニットＵの配設状況を示す平面断面図、図８は、本発明の第４の実施形態の別態様に係るものであって、図８（Ａ）は可動式の制御ユニットＵの操作部１０を示す斜視図、図８（Ｂ）は可動式の制御ユニットＵの配設状況を示す側面断面図である。
【００５１】
本実施形態は、制御ユニットＵを、前面部１ａに対し可動式に構成したところを特徴とする。本実施形態の制御ユニットＵは、三角柱状のケーシング１４の内部にタイマーなどの制御機器１３を配設し、この制御機器１３に外面から操作ノブ１２を連結して操作部１０を構成する。そして、筐体１の前面部１ａに切欠部１ｅを設け、この切欠部１ｅに、制御ユニットＵのケーシング１４を、前面部１ａに対し、回動軸１５で回動可能に取り付ける。
【００５２】
これにより、二槽式洗濯機Ｗの使用時は、制御ユニットＵを前面部１ａの表面側に引き出して、操作部１０の操作を行うことがことができ、二槽式洗濯機Ｗの不使用時は、制御ユニットＵを回動させて前面部１ａの裏面側へ収納することによって、操作部１０を隠すことができる。
【００５３】
なお本実施形態では、図７に示すように、操作ノブ１２が上下方向に配列され、操作部１０が縦長であるときは、回動軸１５を鉛直方向に配置して、制御ユニットＵが水平方向に回動するように構成し、図８に示すように、操作ノブ１２が左右方向に配列され、操作部１０が横長であるときは、回動軸１５を水平方向に配置して、制御ユニットＵが鉛直方向に回動するように構成するとよい。
【００５４】
本実施形態によれば、操作部１０を隠して、不使用時の美観性を向上させることができるとともに、前面部１ａの突出部分をなくせるので、梱包が容易になるとともに、梱包時の緩衝材の使用量を削減できる効果が得られる。
【符号の説明】
【００５５】
Ｗ  二槽式洗濯機
１  筐体
１ａ  前面部
１ｂ  凹部
２  上面部
３  洗濯槽
４  脱水槽
６  蓋体
１０  操作部
１１  操作面
１２  操作ノブ
Ｓ  空隙
Ｔ  ユニット取付部
Ｕ  制御ユニット
【図１】
2014124512.tif 000003
【図２】
2014124512.tif 000004
【図３】
2014124512.tif 000005
【図４】
2014124512.tif 000006
【図５】
2014124512.tif 000007
【図６】
2014124512.tif 000008
【図７】
2014124512.tif 000009
【図８】
2014124512.tif 000010
【図９】
2014124512.tif 000011
【図１０】
2014124512.tif 000012